Podtech/llm-jp-corpus-v4-ja_patent huggingface dataset:
(57)【要約】【課題】  従来技術は比較的高価である粉末化したトルマリン鉱石が、製品粘性状物中に４０〜５０重量％と多量に含むものであり、経済的見地よりさらにトルマリン鉱石の粉末が低含量で、育毛効果がこれと同等以上にあることが課題である。【解決手段】  リチアトルマリン鉱石（電気石）の粉末を３２５メッシュの篩いを通過した粉末をさらに微粉砕し、最大径１０ミクロン以下とした微粉末を使用することが第一である。これはトルマリンの頭部皮膚への保持時間を長くさせること、および頭部皮膚の活成果効果が高まったものと考えられる。  さらには、高粘性のポリエチレングリコ−ル−２４０とヒアルロン酸ナトリウムなどの使用により微粉末の分散性、均一性の良い安定化した製品粘性状物の改良を施したこと、  また、育毛効果の増強にオタネニンジンエキスとセンブリエキスを添加しトルマリン微粉末２〜７重量部とすることが出来た。【特許請求の範囲】
【請求項１】
リチアトルマリン鉱石（電気石）の粉末を３２５メッシュの篩いを通過した粉末をさらに微粉砕し、最大径１０ミクロン以下にした微粉末と、頭皮への付着性を高めるため、水、ナトリウムマグネシウム珪酸塩、ポリエチレングリコ−ル−７５と高粘性のポリエチレングリコ−ル−２４０計９重量部、グリセリンと無変性エタノ−ルとヒドロキシエチルセルロ−ズ計５重量部、クエン酸とヒアルロン酸ナトリウム計１重量部、を良く混練し、さらにこの混練物にギリシャ産マスチック、ハッカ油、オタネニンジンエキス、センブリエキスを計４重量部を良く混練した育毛剤において、前記トルマリン粉末を２〜７重量部の範囲とすることを特徴とする頭髪用育毛剤。
【発明の詳細な説明】
【技術分野】
【０００１】  本発明は、太田  和氏が先に出願し特許登録されている特許第３６２０３６７号の育毛剤に関する技術の改良に関するものである。
【背景技術】
【０００２】  この特許第３６２０３６７号では、粉末化したトルマリン鉱石を粘性状の材料と混練させた頭髪用育毛剤に関し、その粘性により長時間頭部表皮に付着させることが出来る育毛剤に関する。
【発明の開示】
【発明が解決しようとする課題】
【０００３】  この特許第３６２０３６７号では、比較的高価である粉末化したトルマリン鉱石が、製品粘性状物中に４０〜５０重量％と多量に含むものであり、経済的見地よりさらにトルマリン鉱石が低含量で、育毛効果がこれと同等以上にあることが課題である。
【課題を解決するための手段】
【０００４】  課題を解決するための手段として本発明者は、粉末化したリチアトルマリン鉱石の微粉末を使用すること、すなわち粉末化したリチアトルマリン鉱石を３２５メッシュの篩いを通過した粉末微粒子をさらに微粉砕し、センタ−粒度３ミクロンとした微粉末を使用することに限定した。さらに粘性状物の材料組成をこの微粉末を均一に分散、安定化させるように改良した。その主要点は、グリコ−ルとしてのポリエチレングリコ−ル−７５の他に高粘性のポリエチレングリコ−ル−２４０を加えたこと、またアルコ−ルとしてのエタノ−ルの他にヒドロキシエチルセルロ−ズを加えたこと、および保湿剤の一部としてヒアルロン酸ナトリウムを加えたことにある。これらの保水材、保湿剤の組み合わせにより、微粉末の均一な分散、安定化が図られるのである。また製品としての育毛効果は、先の特許第３６２０３６７号に書かれているようにトルマリン粉末の遠赤外線の吸収輻射が毛根細胞の活性化によるものと思われるが、さらに細胞の活性化の増強にオタネニンジンエキス、センブリエキスを配合し、さらに薬剤過敏症の人々の安全のために抗炎症防止剤としてギリシャ産天然樹脂マスチックを加えたのである。
【発明の効果】
【０００５】粉末化したリチアトルマリン鉱石の微粉末を使用することにより、製品中の粉末化したトルマリン鉱石の微粉末の含有量を低減させることが出来、さらに粘性状物の材料組成を改良することにより、この微粉末を均一に分散、安定化させて、効能を保持する微粉末の含量量を４〜７重量部と低減することが出来たのである。またオタネニンジンエキスとセンブリエキスを配合することにより、幾らかの育毛増強効果もあるものと考えられる。このようにして得られた育毛剤を、２〜４グラムを１日１回頭皮に擦り込むことにより、約１ケ月で患部の大部分に産毛が生え揃い約３ケ月程度でこれらの産毛が通常の黒髪となるのである。
【発明を実施するための最良の形態】
【０００６】  トルマリン鉱石の１種類であるリチアトルマリン（電気石）の粉末を３２５メッシュの篩いを通過した粉末をさらに微粉砕し、センタ−粒度３ミクロン以下とした微粉末４重量部と、水７６重量部、ポリエチレングリコ−ル−７５とポリエチレングリコ−ル−２４０を計９重量部、ナトリウム・マグネシウムケイ酸塩４重量部、グリセリンと無変性エタノ−ルとヒドロキシエチルセルロ−ズ計５重量部、クエン酸とヒアルロン酸ナトリウム計１重量部を、混練槽で均一に混練し、これにギリシャ産天然樹脂マスチックとハッカ油とオタネニンジンエキスとセンブリエキス計４重量部を加えて混練し、粘性状物の製品を得る。
この時のリチアトルマリン微粉末の含有量は、３．９重量％である。トルマリン微粉末の使用量を２重量％以下とすると育毛能の低下が見られ、またこれを７重量％以上としても育毛能が殆んど増加しない。したがって請求項では、リチアトルマリン微粉末の使用量は４〜７重量部の範囲とした。
【実施例１】
【０００７】  リチアトルマリン鉱石（電気石）の粉末を３２５メッシュの篩いを通過した粉末をさらに微粉砕し、最大径１０ミクロン以下とした微粉末４重量部と、水７６重量部、ポリエチレングリコ−ル−７５とポリエチレングリコ−ル−２４０を計９重量部、ナトリウム・マグネシウムケイ酸塩４重量部、グリセリンと無変性エタノ−ルとヒドロキシエチルセルロ−ズ計５重量部、クエン酸とヒアルロン酸ナトリウム計１重量部を、混練槽で均一に混練し、これにギリシヤ産天然樹脂とハッカ油とオタネニンジンエキスとセンブリエキス計４重量部を加えて混練し、粘性状物の製品を得る。
【実施例２】
【０００８】  ３６歳の女性で、円形脱毛症が１４年間進行し頭髪の１／３が無い状態の人の例を示す。実施例１で得られた育毛剤の２〜４グラムを１日１回風呂上り後、患部の頭皮に約５分間毎日擦り込むことにより、約１ケ月で患部の大部分に産毛が生え揃い約３ケ月程度でこれらの産毛が通常の髪のように張りのある黒髪となった。同時に、患部周辺の髪の毛は多少太くなり黒くなった・
(57)【要約】【課題】    従来の生ゴミなど腐敗性ゴミの防臭・消臭は  ゴミに防腐剤・消臭剤を混入していた。此の煩わしさと低効果を改善する安易で有効な消臭剤と消臭容器を開発する。【解決手段】本発明のものは  従来防腐剤・消臭剤として認識されて無かった薬剤であり、プラスチック配合剤として認識されて無かった薬剤を、ポリマーで無くプレポリマーとして、溶失性を残したまま  プラスチックフィルムへ添加する【特許請求の範囲】
【請求項１】
下記の一般式で表されるポリアクリル酸とオレフィン系ポリマーとを、配合して成る  アンモニアガス吸収性プラスチックフィルム。
2008081711.tif 000002
【発明の詳細な説明】
【技術分野】
【０００１】  本発明は  生ゴミなどが腐敗して発生する  アンモニアなど腐敗臭を  生ゴミ容器としてのプスチック袋に吸収させる事により  効果的に消臭しようとするものである。
【発明の開示】
【発明が解決しようとする課題】
【０００２】  生ゴミの防臭・消臭には従来  防腐剤・消毒剤を生ゴミへ混入するなど処置が採られたが、その作業は煩わしく、効果が乏しかった故に、より簡便で有効な対策が待たれていた。
【課題を解決するための手段】
【０００３】  従来の作業量を増やさず、より完全に防消臭するには、生ゴミ容器である袋に  防消臭機能が望ましく、アンモニアなど腐敗臭を吸収する薬剤を混入したフィルムで袋を作る。その薬剤はやや可溶で、徐放故持続性で、安全無害で、蓄積毒にも環境汚染にも成ら無いものが望ましい。
【発明の効果】
【０００４】容器たる袋自体が防腐消毒・防消臭機能を持つ故、簡便・完全なばかりでなく、既に有る周辺に漂うアンモニアなど腐敗臭も吸収除去してくれる。
【発明を実施するための最良の形態】
【０００５】  ポリアクリル酸をポリエチレンへ添加溶融してフィルムにした後にフィルムとする。
【実施例１】
【０００６】  ポリアクリル酸の粉体を適当量  ポリエチレン粉体へ添加し  良く混合の後  インフレーション成形して、それから袋に加工する。
【実施例２】
【０００７】  ポリアクリル酸の粉体を多量に  ポリエチレン粉体へ添加し  混合の後  ペレタイザーへ  繰り返し掛けて良く分散して  マスターバッチとしてから  ポリエチレンペレットへ適当量添加し混合してから  Ｔダイ押出しフィルム成形して、それから袋に加工する。
(57)【要約】【課題】  タクシーを利用しようとする顧客は、走行してくるタクシーに手を挙げて合図をしてタクシーが停車してくれるのを待って乗車する場合が多いが、該タクシー利用顧客には走行してくるタクシーに手を挙げても必ず停車してくれるのかという不安があるので、タクシーが停車するまで手を挙げ続けたり、急いでいるときなどタクシーを停車させるために走行してくるタクシーの前へ飛び出したりして危険である。【解決手段】  本発明は、タクシーに乗車しようとして手を挙げて合図をするタクシー利用顧客のために、確実に停車することを認識させタクシー利用顧客が安心してたくしーが停車するのを待つことができるタクシー停車合図表示灯であって、本体内に光源を有し光源の点灯によって停車することを表する文字と緑色の表示板が照明され確認できるように形成される。【選択図】図１
2008081092.tif 000002
【特許請求の範囲】
【請求項１】
タクシーの前部ウインドの左側に取り付ける停車合図表示灯であって、本体内部に光源を有し、光源が点灯することによってアクリル樹脂等で形成される緑色の表示部の色と停車しますという白色又は黒色の文字が照明されることで、タクシー利用顧客に確認できる構造を成したもので、タクシー車両のハザードランプのスイッチの操作で、表示板の緑色と表示板に白色又は黒色で書かれた停車しますの文字が照明され点滅する形態を持つことを特徴とする停車合図表示灯。
【発明の詳細な説明】
【技術分野】
【０００１】  本発明は、路上で手を挙げてタクシーを止めようとしている顧客を、タクシー乗務員が認識し該顧客のために停車することを知らせる停車合図表示灯に関する。
【背景技術】
【０００２】  タクシーを利用する顧客は、走行してくるタクシーに手を挙げて合図を送りタクシーが停車してくれるのを待ち、タクシー乗務員は該顧客を認識してハザードランプを点灯させて停車することを知らせるという方法が行なわれているが、本来車両に装備されているハザードランプは、車両が停車中であることを表示するランプであって、タクシーを利用する顧客のための停車合図灯ではなく、便宜上このようなことが行なわれているに過ぎないので本来の顧客サービスではない。
【発明の開示】
【発明が解決しようとする課題】
【０００３】  本発明は、タクシーを利用しようとして手を挙げている顧客を、タクシー乗務員が認識して該顧客のために停車することを知らせる停車合図表示灯を提供する。
【課題を解決するための手段】
【０００４】  この発明は、上記目的を達成させるためにタクシーの前部ウインド左側サンバイザーの位置に設置されるものであって、停車することを表するアクリル樹脂等で形成される表示部を備えた本体（１）とその本体内に光源（３）を備え、光源が点灯されることにより、表示部の緑色と停車しますという黒色又は白色の文字が照明される構造を成したものである。【０００５】  また、本発明はタクシーの前部ウインドの左側サンバイザーの位置に設置されるものであって、その表示灯本体内に備える照明手段を有するタクシー停車合図表灯において、当該停車合図表示灯の電源は車両のハザードランプの回路に接続されるもので、ハザードランプを作動させることによって本体内の光源（３）が点灯し、表示部（４）を照明し点滅させて、タクシーを止めようとしているタクシー利用顧客に確実に停車することを認知させる、停車合図表示灯を形成するようにしたものである。【０００６】  また該停車合図表示灯の電源回路には独立したスイッチを設けて、車両の故障及び緊急停車時に使用される場合のハザードランプ作動時には停車合図表示灯の電源はＯＦＦされる。
【発明の効果】
【０００７】  タクシーを路上で手を挙げ合図をして止めようとしているタクシー利用顧客は、タクシー前部左側に装着された緑色の標示部と黒色又は白色の、停車しますという文字が照明され点滅する停車合図表示灯を認識することによって、タクシーが止まるまで不安な気持ちで手を挙げ続ける必要がなくなることから停車合図表示灯は顧客サービスとなる。【０００８】  また、タクシー乗務員は手を挙げて乗車しようとしているタクシー利用顧客を認識した時点で、停車合図表示灯を点灯させるだけで、停車することを該顧客に伝達できるので安全運転で停車することができ、タクシー業界の規制緩和などによって新規参入会社の増加や既存タクシー会社の増車が続き、タクシー客の奪い合いの激化が予測される状況下に於いて、停車合図表示灯はタクシー業界のサービスの向上となる。
【実施例】
【０００９】  本発明に係るタクシー停車合図表示灯の実施例を図面に基づいて説明する。図１は本発明に係るタクシー停車合図表示灯の本体を表す。図２は表示部（４）を照明する光源であり、蛍光灯以外の光源を利用することも可能である。図４はタクシー車両の前部ウインドの正面図であり、タクシー停車合図表示灯の取り付け位置（５）を示すものである。タクシー停車合図表示灯の大きさはサンバイザーの大きさを超えないものとする。図１の電源線はタクシー車両のハザードランプ回路へ接続されハザードランプのスイッチ操作でハザードランプと同時にタクシー停車合図表示灯も点灯し点滅する。図３のタクシー停車合図表示灯の表示部（４）はアクリル樹脂等で形成され、明るい緑色の表示部に黒色又は白色の、停車しますという文字を照明され浮き上がらせて、停車することをタクシー利用顧客に認識されやすくしているところが特徴である。
【産業上の利用可能性】
【００１０】  上述の発明は、緑色の標示部と停車しますという文字が黒色又は白色で標示されたタクシー停車合図表示灯が点滅することによって、路上でタクシーに乗車しようとするタクシー利用顧客には、確実にタクシーが停車してくれる確認が取れるので、タクシーが停車してくれるか不安な気持ちで手を挙げ続けたり走行してくるタクシーの前まで飛び出したりする必要がなくなるので事故防止に役立つ。
【図面の簡単な説明】
【００１１】
【図１】本発明の全体図である。
【図２】本発明の光源図である。
【図３】本発明のアクリル樹脂の表示部を表す。
【図４】本発明の取り付け位置を示しタクシー車両の前部ウインドの正面図である。
【符号の説明】
【００１２】（１）本発明の全体を表す
（２）電源線
（３）光源
（４）アクリル樹脂等で形成される表示部
（５）タクシー停車合図表示灯の取り付け位置
【図１】
2008081092.tif 000003
【図２】
2008081092.tif 000004
【図３】
2008081092.tif 000005
【図４】
2008081092.tif 000006
(57)【要約】      （修正有）【課題】泥よけ本体が、損傷を負う可能性があるときや、後方作業で邪魔になるときに泥よけ本体をテールランプに収納する。また、一般道路を走行するときは、泥よけとして出して使用する。【解決手段】テールランプ２の内側に、泥よけ本体１の長さだけのカバー（レール）を設け、ダンプ側シャーシにローラー・モーター３を設け、その力を上下できるスイッチを運転席に設ける。又引き上げ過ぎないように泥よけ本体１の下側にそれを防止するプレートを付ける。【選択図】図１
2008081095.tif 000002
【特許請求の範囲】
【請求項１】
泥よけ本体（１）をテールランプ（２）の裏側へ、収納・出す事が（運転席の操作で）、出来る収納式泥よけ。
【発明の詳細な説明】
【発明の詳細な説明】
【技術分野】
【０００１】    この発明は、固定されていた泥よけを、可動式にテールランプの内側に収納することが出来る泥よけに関するものである。
【背景技術】
【０００２】    従来の泥よけは、ボルト・ナットや、プレートで固定されていた。
【発明が解決しようとする課題】
【０００３】    これは次のような欠点があった。
（イ）    軟らかい路面に、後方へバックして荷あげする際に、路面よりタイヤが下がり、タイヤに泥よけが巻きつき、泥よけを傷めた。
（ロ）    道路工事でアスファルトを、敷く際に、ダンプの泥よけが邪魔な為に、ロール状に巻いたり、外して走行して後続車に石など当てる可能性を高めた。
（ハ）    泥よけを外す事により、雨天の時に後続車の視界を低下させる要因ともなる。
【発明を解決する為の手段】
【０００４】  泥よけ本体（１）をテールランプ（２）の内裏側へ、収納・出す事が（運転席の操作で）出来る物である。
本発明は以上の様な構成よりなる収納式泥よけである。
【発明を実施するための最良の形態】
【０００５】以下、本発明の実施の形態について説明する。
テールランプ（２）の内側に、泥よけ本体（１）の長さだけのカバー（レール）を設け、ダンプ側シャーシにローラー・モーター（３）を設け、その力を上下できるスイッチを運転席に設ける。又引き上げ過ぎないように泥よけ本体（１）の下側にそれを防止するプレートを付ける。
本発明は以上の様な構造で、これを使用するときは、泥よけ本体（１）が、損傷を負う可能性があるときや、後方作業で邪魔になるときに泥よけ本体（１）をテールランプ（２）に収納して使用する物とする。
また、一般道路を走行するときは、泥よけとして出して使用するものとする。
【発明の効果】
【０００６】  消耗品である泥よけの寿命を延命する効果があり、作業時間の短縮も期待できる。また、泥よけが、正常でない状態での走行で、後続車に迷惑・賠償の可能性を防げる。
【図面の簡単な説明】
【図１】本発明をダンプカーに取り付けた状態の後方側面である。
【図２】泥よけが、正常でない状態のダンプカーの後方面である。
【符号の説明】
１  泥よけ本体
２  テールランプ
３  引き上げ・下ろし用電動モーター＆ローラー
【図１】
2008081095.tif 000003
【図２】
2008081095.tif 000004
(57)【要約】【課題】サーフボードをスラローム状に操作して、可動フィンにより推力を得て自走するサーフボードを提供する。【解決手段】支点フィンで横滑りを抑え、可動フィンで水圧を受けて推力を得ることを特徴とする。【選択図】図１
2008081093.tif 000002
【特許請求の範囲】
【請求項１】
支点フィンと可動フィンを取り付けたサーフボード。
【発明の詳細な説明】
【技術分野】
【０００１】この発明は、ボードの底部に取り付けた支点フィンと可動フィンによって、自走を可能にするサーフボードである。
【背景技術】
【０００２】通常のサーフボードは、風力、波力に依存しているため、自然の力を待つ必要があった。
【発明の開示】
【発明が解決しようとする課題】
【０００３】風力や波力が期待できない場合の推力を得る方法が必要である。
【課題を解決するための手段】
【０００４】サーフボードの後方を左右に力強くキックする事により、可動フィンより推力を得る。その際、支点フィンは、横滑りを抑える役目をする。
【発明の効果】
【０００５】サーフボードをスラローム状に操縦することにより、自走する。
【発明を実施するための最良の状態】
【０００６】ショートボードのような操縦性のよいサーフボードの前方に支点フィンを付け、後方には可動フィンとストッパーを取り付ける。サーファーは、サーフィンと同様に、始めはパドリングで助走してから、ボードと平行に立ち、後方の足を前後にキックして、ボード後方を左右に振る事により、可動フィンから推力を得る。
【図面の簡単な説明】
【０００７】
【図１】本考案の斜視図である。
【図２】本考案の使用中の斜視図である。
【符号の説明】
【０００８】１      サーフボード
２      支点フィン
３      可動フィン
４      ストッパー
５      水圧
６      推力
７      スラローム角度
８      左右にキックする
【図１】
2008081093.tif 000003
【図２】
2008081093.tif 000004
(57)【要約】【課題】  台所流し台排水口のゴミ収納容器に水切りゴミ袋を設置し、使用した時にゴミ収納容器から汚水が流れなくなるのを防止する為のゴミ収納容器を提供する。【解決手段】  支軸（３）の上部に柄（４）を設け、支軸（３）の下部に環体（１）を設け、環体（１）の下部に数本の突出物（２）を設けた事を特徴とする。【選択図】図１
2008081314.tif 000002
【特許請求の範囲】
【請求項１】
支軸（３）の上部に柄（４）を設け、支軸（３）の下部に環体（１）を設け、環体（１）の下部に数本の突出物（２）を設けた台所流し台排水口のゴミ収納容器補助具。
【発明の詳細な説明】
【技術分野】
【０００１】  本発明は、台所流し台の排水口のゴミ収納容器に水切りゴミ袋を設置し、使用した時にゴミ収納容器から汚水が流れなくなるのを防止する為のゴミ収納容器補助具に関するものである。
【背景技術】
【０００２】  従来、台所流し台の排水口には、ゴミを集めるためのゴミ収納容器が設置され、そのゴミ収納容器の中に水切りゴミ袋をセットし、水切りゴミ袋にたまったゴミを水切りゴミ袋のまま取り出して捨てていた。
【発明の開示】
【発明が解決しようとする課題】
【０００３】  そのために、次のような問題点があった。
（イ）図４によるように、少量のゴミがたまると、水圧によってゴミ収納容器（５）に水切りゴミ袋（８）が密着し、穴（７）及び穴（１１）がふさがれ、汚水の流れを止め、ゴミ収納容器（５）の中に汚水がたまり、又流し台に汚水があふれて不衛生であった。
（ロ）たまった汚水には、油やその他のゴミが浮かび、その汚水を水切りゴミ袋（８）から取り除くのは大変煩わしかった。
（ハ）少量のゴミによりすぐに目詰まりをおこすので、その度に水切りゴミ袋（８）を取り替えなければならなかった。
本発明は、これらの問題点を解決するために発明されたものである。
【課題を解決するための手段】
【０００４】  支軸（３）の上部に、柄（４）を設ける。そして支軸（３）の下部に環体（１）を設ける。環体（１）の下部に数本の突出物（２）を設ける。本発明は以上の構成からなる台所流し台排水口のゴミ収納用器補助具である。
【発明の効果】
【０００５】  本発明を使用することによってゴミ収納容器に汚水がたまらず、又流し台にあふれることがなくなる。従来あふれた汚水によって、ゴミ収納容器に付着していた油分のべたつきやぬめりも水切りゴミ袋に集められ、ゴミ収納容器にほとんど汚れが付かない。従ってこれまで主婦が行っていた、汚水の処理や汚れた流し台及びゴミ収納容器を清掃する苦痛を解決できる。下水道へ流れる汚水もほとんどのゴミが水切りゴミ袋に集められる為きれいになり、川や海の自然を汚さないことにもつながる。
【発明を実施するための最良の形態】
【０００６】以下、本発明の実施の形態について説明する。
（イ）ゴミ収納容器の深さより長い支軸（３）の上部に柄（４）を設ける。
（ロ）支軸（３）の下部に、ゴミ収納容器（５）の底面の円周よりひとまわり小さい環状の環体（１）を設ける。
（ハ）環体（１）の下部に数本の突出物を設ける。
本発明は以上のような構成よりなっている。
本発明を使用するときは、図２及び図３に示すようにゴミ収納容器（５）の中に本体を置き、次に水切りゴミ袋（８）をゴミ収納容器（５）の中にセットし、水切りゴミ袋（８）の上部を支軸（３）をよけながらゴミ収納容器（５）のふちの外側へ折り曲げる。菊割れふた（９）をする。支軸（３）は菊割れふた（９）の穴（１０）を通って上に出る。
水が流れない主な原因は、水圧によりゴミ収納容器（５）に水切りゴミ袋（８）が密着してゴミ収納容器（５）の穴（７）及び穴（１１）をふさぐ事にある。柄（３）を上下に動かすことによって、環体（１）が上下に動きゴミ収納容器（５）に密着した水切りゴミ袋（８）をはがし、すきまをつくるため、穴（７）及び穴（１１）から水がスムーズに流れる。水の流れの勢いが良くなるとゴミも水きりゴミ袋（８）の底にたまる。
【図面の簡単な説明】
【０００７】
【図１】  本発明の斜視図
【図２】  本発明の実施例を示す斜視図
【図３】  本発明の実施例を示す断面図
【図４】  従来のゴミ収納容器の使用例の断面図
【符号の説明】
【０００８】      １  環体
２  突出物
３  支軸
４  柄
５  ゴミ収納容器
６  底
７  穴
８  水切りゴミ袋
９  菊割れふた
１０  穴
１１  穴
１２  ゴミ
１３  汚水
【図１】
2008081314.tif 000003
【図２】
2008081314.tif 000004
【図３】
2008081314.tif 000005
【図４】
2008081314.tif 000006
(57)【要約】【課題】比較的簡単な設備により、確実かつ迅速に重合反応を緊急停止することができるという優れた特徴を有する重合反応の緊急停止システムを提供する。【解決手段】下記（Ａ）及び（Ｂ）の設備を有する重合反応の緊急停止システム。  （Ａ）：重合失活剤を重合槽に供給する配管であって、その途中に少なくとも一の開閉弁を有する配管  （Ｂ）：上記（Ａ）の配管から分岐されパージ設備に連結された配管であって、その途中に開閉弁及び流量制限用のオリフィスを有する配管  本発明が対象とする重合反応の例としては、エチレン、プロピレン等のオレフィン（共）重合反応をあげることができ、更に具体的にはオレフィンの気相重合反応をあげることができる。【選択図】図１
2008081536.tif 000002
【特許請求の範囲】
【請求項１】
下記（Ａ）及び（Ｂ）の設備を有する重合反応の緊急停止システム。
（Ａ）：重合失活剤を重合槽に供給する配管であって、その途中に少なくとも一の開閉弁を有する配管
（Ｂ）：上記（Ａ）の配管から分岐されパージ設備に連結された配管であって、その途中に開閉弁及び流量制限用のオリフィスを有する配管
【請求項２】
重合反応がオレフィンの重合反応である請求項１記載のシステム。
【請求項３】
重合反応がオレフィンの気相重合反応である請求項１記載のシステム。
【請求項４】
重合反応がエチレン及び／又はプロピレンの（共）重合反応である請求項１記載のシステム。
【請求項５】
重合失活剤が一酸化炭素である請求項１記載のシステム。
【請求項６】
パージ設備が燃焼設備である請求項１記載のシステム。
【発明の詳細な説明】
【技術分野】
【０００１】
本発明は、重合反応の緊急停止システムに関するものである。更に詳しくは、本発明は、比較的簡単な設備により、確実かつ迅速に重合反応を緊急停止することができるという優れた特徴を有する重合反応の緊急停止システムに関するものである。
【背景技術】
【０００２】
ポリエチレン、ポリプロピレン等はエチレン、プロピレン等のモノマーを重合反応に付して得られる。ところで、重合反応系に異常が発生した場合、緊急に重合反応を停止する必要がある。それは、異常反応により温度や圧力が異常に上昇し、設備を破壊して危険であるとともに、モノマーを無駄に消費するという問題があるからである。ところで、重合反応の緊急停止方法としては、重合反応槽へ直接重合失活剤を投入する方法が知られている（たとえば、特許文献１参照。）。
【０００３】
ところが、従来の方法は、比較的簡単な設備により、確実かつ迅速に重合反応を緊急停止することができるという観点からは、必ずしも満足できるものではなかった。
【０００４】
【特許文献１】特開平９−９５５０４号公報
【発明の開示】
【発明が解決しようとする課題】
【０００５】
かかる状況において、本発明が解決しようとする課題は、比較的簡単な設備により、確実かつ迅速に重合反応を緊急停止することができるという優れた特徴を有する重合反応の緊急停止システムを提供する点にある。
【課題を解決するための手段】
【０００６】
すなわち、本発明は、下記（Ａ）及び（Ｂ）の設備を有する重合反応の緊急停止システムに係るものである。
（Ａ）：重合失活剤を重合槽に供給する配管であって、その途中に少なくとも一の開閉弁を有する配管
（Ｂ）：上記（Ａ）の配管から分岐されパージ設備に連結された配管であって、その途中に開閉弁及び流量制限用のオリフィスを有する配管
【発明の効果】
【０００７】
本発明により、比較的簡単な設備により、確実かつ迅速に重合反応を緊急停止することができるという優れた特徴を有する重合反応の緊急停止システムを提供することができる。
【発明を実施するための最良の形態】
【０００８】
本発明が対象とする重合反応の例としては、エチレン、プロピレン等のオレフィン（共）重合反応をあげることができ、更に具体的にはオレフィンの気相重合反応をあげることができる。
【０００９】
本発明で用いられる重合失活剤の具体例としては、一酸化炭素をあげることができる。
【００１０】
重合反応の緊急停止を要する場合の例としては、異常反応により反応系の温度や圧力が異常上昇した場合をあげることができる。このような場合は、安全確保及び設備保護の観点から、速やかに、かつ確実に重合反応を停止させる必要がある。
【００１１】
本発明を従来の例と比較しつつ、以下に説明する。
【００１２】
図１は本発明の例を示し、重合失活剤を重合槽に供給する配管であって、その途中に少なくとも一の開閉弁を有する配管を有するとともに該配管から分岐されパージ設備に連結された配管であって、その途中に開閉弁及び流量制限用のオリフィスを有する配管を有する。
【００１３】
一方、図２は従来の例を示す。
【００１４】
従来の例においては、緊急停止を行う場合、重合失活剤投入条件成立による投入シーケンス作動又は手動投入ボタンにより重合槽への重合失活剤投入動作が開始される。投入動作とは内通パージ遠隔弁である弁６が開から閉に切替り、弁６の閉止信号にて閉止が確認された後、重合失活剤遠隔投入弁２及び３が閉から開となり重合槽へ重合失活剤が投入され重合反応を停止させる。この場合、弁６の閉止不良などの異状の際には、弁２及び３の閉から開への切替る条件に弁６の閉止信号が組まれているため弁２及び３が閉止状態のままとなり、重合失活剤が重合槽へ投入されないという問題を伴う。
【００１５】
一方、本発明において緊急停止を行う場合、従来同様、重合失活剤投入動作に変わりなく弁６が開から閉止に切替り、弁２及び３が閉から開となり重合槽へ重合失活剤が投入され重合反応を停止させるが、この場合、パージ配管中にオリフィスを設け流量制限を行うことにより弁６の閉止いかんに関わらず弁２及び３を閉から開に切替え、重合槽への確実かつ迅速な重合失活剤投入が可能であり、上記の問題を伴わない。なお、本発明においては、緊急停止時に系外へパージすべき気体のパージ設備としては、燃焼設備を用いることができる。
【実施例】
【００１６】
次に本発明を実施例により説明する。
実施例１
重合失活剤投入条件成立による投入シーケンス作動又は手動投入ボタンにより重合槽への重合失活剤投入動作が開始され、内通パージ遠隔弁である弁６が開から閉に切替り、重合失活剤遠隔投入弁２及び３が閉から開となり重合槽へ重合失活剤が投入され重合反応を停止させる。
【図面の簡単な説明】
【００１７】
【図１】本発明によるシステムの例である。
【図２】従来のシステムの例である。
【符号の説明】
【００１８】
１    ：重合槽
２，３：失活剤投入遠隔弁
４    ：重合失活剤
５    ：オリフィス
６    ：弁３の内通パージ用遠隔弁
７    ：パージ設備行き
８    ：安全弁
９    ：安全弁バイパス弁
【図１】
2008081536.tif 000003
【図２】
2008081536.tif 000004
(57)【要約】 【課題】    手動シャターの使用時に、直角三角形のクサビ型先端をシャター裏上部と窓枠上部に挿入し、シャターを少し上げ、任意の高さに固定させる。シャター・ストッパーを提供する。【解決手段】    クサビ型の直角三角形の底面に、シャター（スラット）６結合部分長さ分の溝を複数個掘る。溝と溝の間は、シャター（スラット）中心と（スラット）中心とする。溝は三角形底辺の短い辺に平行。クサビ型直角三角形の高さは、シャター裏上部と窓枠上部の、スキマより少し長い距離とする。直角三角形底面の溝と溝の間に磁性体を複数個を埋設接着させる。部屋の内側から直角三角形クサビ型の先端をシャター裏上部と窓枠上部の間に挿入し、シャターを上げると、クサビ型が、くい込んで、シャターを固定することを特徴とするシャター・ストッパー。【選択図】    図１
2008081957.tif 000002
【特許請求の範囲】
【請求項１】
クサビ型の三角形底面に複数個のシャター（スラット）６結合部分の長さ分の溝を欠切し、シャター（スラット）６中心と（スラット）６の中心の長さを溝５と溝５の長さとし、溝５は三角形底辺の短い辺に平行とし、その間に磁性体を埋設接着させ、クサビ型の先端をシャター裏上部と窓枠上部の間に挿入して、手動シャターを固定することを特徴とするシャター・ストッパー。
【発明の詳細な説明】
【技術分野】
【０００１】
本発明は手動シャターの使用時に、任意の高さに固定させる、シャター・ストッパーに関するものである。
【背景技術】
【０００２】
従来、防犯、台風の戸締りなど手動・電動シャターを使用している。手動シャターは下に降ろした時に鍵をかけられるが、開閉（上下）間で手動シャターが固定できなかった。
【発明の開示】
【発明が解決しようとする課題】
【０００３】
そのために、次のような問題点があった。
夏場、暑いのでガラス戸を開き、網戸を虫が入らない様に閉め、朝日が全部入らない様に途中までシャター開いて就寝。アパート、マンション個人の家で手動シャターは固定できない。テナント店で鍵をバールなどで、こじ開けられて、防犯シャターの効果が発揮されなかった。従って、泥棒に入られる危険があった。本発明は以上の問題点を解決しようとするものである。
【課題を解決するための手段】
【０００４】
クサビ型の三角形底面に複数個のシャター（スラット）６結合部分の長さ分の溝を欠切して、シャター（スラット）６中心と（スラット）６の中心の長さを溝５と溝５の長さとする。溝５は三角形底辺の短い辺に平行に掘る。その間に磁性体を埋設接着させ、クサビ型の先端をシャター裏上部と窓枠上部の間に挿入し、手動シャターを固定することを特徴とするシャター・ストッパー。
【発明の効果】
【０００５】
本発明のシャター・ストッパーの先端を、手動シャター裏上部と窓枠上部の間に複数個、両側に挿入する。クサビ型になっているので、これ以上シャターは上がらない。クサビ型三角形の底面の磁性体がシャター裏（スラット）に吸着する。合成ゴム製函体なので他の物に傷をつけず使用できる。
【発明を実施するための最良の形態】
【０００６】
本発明の一実施例を図１〜図２に基づいて説明する。
このシャター・ストッパー１は、合成ゴム製函体２と、合成樹脂３と、複数個の磁性体４などによって形成されている。クサビ型三角形底面に複数個のシャター（スラット）６結合部分の長さ分の溝５欠切して、その間に磁性体４を埋設接着、形成してある。シャター（スラット）６中心と（スラット）６中心の長さを溝５と溝５長さとする。溝５は三角形底面の短い辺に平行に掘る。シャター（スラット）６の長さによって任意に設計変更してもよい。シャター（スラット）６結合部が溝５に入り、磁性体４がシャター（スラット）６に吸着する。よって、シャター裏７にシャター・ストッパー１が密着できる。
本発明は、以上の構成よりなっている。
本発明の使用例を図３〜図４に基づいて説明する。
手動シャターを任意の高さにとめ、シャター裏７上部と窓枠上部８の間に複数個のシャター・ストッパー１の先端を両側に挿入し、クサビ型になっているので、これ以上シャターは上がらない。夏場、窓枠下側よりシャター下部の間、人間の通れない高さ（約２５センチ・メートル以下）に設定、手動シャターを固定し、夏場、防犯、風通しを良くすることができる。テナント店では、防犯シャター上部裏側にシャター・ストッパー複数個を着脱し、二重(補助)錠と使用できる。
【図面の簡単な説明】
【０００７】
【図１】本発明に係る一実施例の斜視図である。
【図２】本発明に係る一実施例の断面図である。
【図３】本発明の使用状態を示す断面図である。
【図４】本発明の使用状態を示す斜視図である。
【符号の説明】
【０００８】
１・・・シャター・ストッパー
２・・・合成ゴム製函体
３・・・合成樹脂
４・・・磁性体
５・・・溝
６・・・シャター（スラット）
７・・・シャターの裏
８・・・窓枠上部
【図１】
2008081957.tif 000003
【図２】
2008081957.tif 000004
【図３】
2008081957.tif 000005
【図４】
2008081957.tif 000006
(57)【要約】【課題】  ゴルフマーカーを使用するにあたって、よくポケットから落としていたりプレー中に枝等に当たり、ゴルフマーカーが外れていたのに気づかないことがよくあった。また、取付け取外しが悪かったり、ファッション性に欠けていた。【解決手段】  ゴルフ手袋の表（おもて）面にマジックテープ（登録商標）や磁石を取付け、ゴルフマーカーの背面にマジックテープ（登録商標）を取付けあるいは、磁石に引っ付くゴルフマーカーを用いたことで、取付け取外しが簡単にできるし、ゴルフ手袋の外側に付いているのでゴルフマーカーが有るか無いか肉眼で的確に知ることができる。さらに、従来の物と比べてもファッション性が高い。【選択図】図３
2008081910.tif 000002
【特許請求の範囲】
【請求項１】
ゴルフ手袋の表（おもて）面にマジックテープ（登録商標）を設置して、背面にマジックテープ（登録商標）を設置したゴルフマーカーを前記手袋に取付けることができるようにしたことを特徴とするゴルフ手袋。
【請求項２】
ゴルフ手袋の表（おもて）面に磁石を設置して、磁石に引っ付くゴルフマーカーを前記手袋に取付けることができるようにしたことを特徴とするゴルフ手袋。
【請求項３】
ゴルフ手袋の（おもて）面にマジックテープ（登録商標）を設置して、さらに前記マジックテープ（登録商標）の一部分に磁石を設置して、背面にマジックテープ（登録商標）を設置したゴルフマーカーあるいは磁石に引っ付くゴルフマーカーいずれでも前記手袋に取付けることができるようにしたことを特徴をするゴルフ手袋。
【発明の詳細な説明】
【技術分野】
【０００１】  ゴルフプレーするとき使用する、ゴルフマーカーを取付けできるゴルフ手袋。
【背景技術】
【０００２】  これまでゴルフマーカーを取付けた手袋に関しては、手袋の甲部にゴルフマーカー収納部を設け、ここにゴルフマーカーを収納した状態にて装着片でゴルフマーカーを覆うようにする方法が提案されている（特許文献１参照）。
【特許文献】  実用新案登録第３０７６４１９号公報
【発明の開示】
【発明が解決しようとする課題】
【０００３】  上記した手袋に設置したマーカーを用いた場合、次のような問題点があった。【０００４】  ゴルフ手袋収納部からゴルフマーカーを取り出す場合や収納する場合、そのたび毎に装着片を開閉する必要があり、大変不便であった。更に、装着片を取付けるため構造が複雑となり、コストアップとなっていた。また収納時ゴルフマーカーが装着片で隠れるため、ファッション性が無かった。【０００５】  このような不具合を解消するために、手袋の表（おもて）面すなわち、甲の部分並びにゴルフマーカーの背面にマジックテープ（登録商標）を設置しあるいは上記手袋の甲の部分に磁石を設置し、磁石に引っ付くゴルフマーカーを取付けたファッション性の高いゴルフ手袋を提供する。
【課題を解決するための手段】
【０００６】  本発明は以上のような問題点を安価にしかも確実に解決するためのものである。【０００７】  すなわち、請求項１の発明は、ゴルフ手袋の表（おもて）面にマジックテープ（登録商標）を設置して、背面にマジックテープ（登録商標）を設置したゴルフマーカーを前記手袋に取付けることができるようにしたことを特徴とするゴルフ手袋である。
更に、請求項２の発明は、ゴルフ手袋の表（おもて）面に磁石を設置して、磁石に引っ付くゴルフマーカーを前記手袋に取付けることができるようにしたことを特徴とするゴルフ手袋である。
更に、請求項３の発明は、ゴルフ手袋の表（おもて）面にマジックテープ（登録商標）を設置して、さらに前記マジックテープ（登録商標）の一部分に磁石を設置して、背面にマジックテープ（登録商標）を設置したゴルフマーカーあるいは磁石に引っ付くゴルフマーカーいずれでも前記手袋に取付けることができるようにしたことを特徴とするゴルフ手袋である。なお請求項３においては、磁石に引っ付かない例えばコイン製などのゴルフマーカーではマジックテープ（登録商標）にて手袋に取付け、磁石に引っ付く例えば鉄製などのゴルフマーカーでは磁石にて手袋に取付けることができ、磁石に引っ付く、引っ付かないいずれのゴルフマーカーも一つの手袋で容易に取付けることができる。
【発明の効果】
【０００８】  以上のように、本発明のゴルフマーカーを取付けできるゴルフ手袋は、手に取付けるので、マーカーが有るか無いか肉眼で的確に知ることができる。また、取付け取外しが簡単にできる。しかもファッション性に優れている。さらに自分の好きなマーカーや、自作のマーカーの裏にマジックテープ（登録商標）を取付けたり、磁石に引っ付く物を加工して本発明のゴルフ手袋に取付て、もっとゴルフを楽しむことが出来る。
【発明を実施するための最良の形態】
【０００９】  本発明のゴルフマーカーを取付けできるゴルフ手袋について図を用いて説明する。【００１０】  ゴルフマーカーを取付けできるゴルフ手袋の、ゴルフマーカーの平面図を図１に側面図を図２に示す。ゴルフマーカーが取付けできるゴルフ手袋の平面図を図３に示す。ゴルフマーカーが取付けできる手袋の図３の表（おもて）面にマジックテープ（登録商標）３を貼り付け、雄・雌面の対となる反対面を有するマジックテープ（登録商標）を、ゴルフマーカーの図２の２に貼り付けて使用する。また、このマジックテープ（登録商標）に対応する雄・雌の対となる反対面を有するマジックテープ（登録商標）を例えばベルトなどに貼り付けて、ゴルフマーカーをすきな場所へ取付けることができる。なお磁石を用いる場合においては図３のマジックテープ（登録商標）３の代わりに磁石４を貼り付けることとなる。更に手袋の表（おもて）面に貼り付けたマジックテープ（登録商標）の一部を剥がさずその上から磁石を貼り付けることもできる。
【図面の簡単な説明】
【００１２】
【図１】ゴルフマーカーの平面図
【図２】ゴルフマーカーの側面図
【図３】ゴルフマーカーを取付けできるゴルフ手袋の平面図
【符号の説明】
１、ゴルフマーカー本体
２、ゴルフマーカー本体背面マジックテープ（登録商標）
３、ゴルフマーカーを取付けできるゴルフ手袋の本体表（おもて）面のマジックテープ（登録商標）
４、磁石
【図１】
2008081910.tif 000003
【図２】
2008081910.tif 000004
【図３】
2008081910.tif 000005
(57)【要約】【課題】    本発明は、足指５本と足甲の大部分及び足首以上を露出させて開放感を誘い、暑苦しさからくる着用の躊躇いを軽減させながら足裏を保温して快眠を得させる簡単装着の衣料品を提供する。【解決手段】  足指５本と足甲の大部分及び足首以上を露出させる靴下本体と、足甲部に設けられた装着用足甲紐と踵部に設けられた装着用足首紐よりなることを特徴とする快眠足温靴下。【選択図】図１
2008081908.tif 000002
【特許請求の範囲】
【請求項１】
足指５本と足甲の大部分及び足首以上を露出させる靴下本体と、足甲部に設けられた装着用足甲紐と踵部に設けられた装着用足首紐よりなることを特徴とする快眠足温靴下。
【請求項２】
足甲紐及び足首紐がそれぞれ２本の紐からなり、紐の先端に面ファスナーを設けたことを特徴とする快眠足温靴下。
【発明の詳細な説明】
【技術分野】
【０００１】  本発明は、足裏を保温し快眠を得る衣料品に関するものである。
【背景技術】
【０００２】  従来、夏季における就寝中も足を温め快眠を得るため通常の靴下が用いられている。
【発明の開示】
【発明が解決しようとする課題】
【０００３】  快眠の条件である頭寒足温を確保するため、夏季における就寝中にも通常の靴下を用いる者が見受けられる。しかし、夏季においては、通常の靴下では、圧迫感があり暑苦しく、使用も躊躇いがちになる。
【課題を解決するための手段】
【０００４】  足指５本と足甲の大部分及び足首以上を露出させる靴下本体と、足甲部に設けられた装着用足甲紐と踵部に設けられた装着用足首紐よりなることを特徴とする快眠足温靴下である。
【発明の効果】
【０００５】  本発明の使用により、就寝中とりわけ夏季における就寝中には暑さから夜具を脱しがちであるが、この場合にも、足裏を保温するため快眠を得られる。
また、通常の靴下とは異なり、足指５本と足甲の大部分及び足首以上を露出させているため開放感があり、暑苦しさからくる着用の躊躇いを軽減させる。さらに、該靴下本体に伸縮性素材を用いるとともに装着用足甲紐、装着用足首紐のいずれにも伸縮素材を用い、該紐の先端部分に所要の長さの面ファスナーを貼付するため、装着が簡単で安定性もある。
【発明を実施するための最良の形態】
【０００６】  以下、本発明の第１の実施の形態を説明する。
（イ）足指部（１）は、足指５本の大部分が露出する形態とする。足甲部に大きな開口部（８）を設ける。
（ロ）足甲側部（２）両側に、装着用足甲紐（４）を設置する。
（ハ）踵側部（３）両側に、装着用足首紐（５）を設置する。
（ニ）装着用足甲紐（４）及び装着用足首紐（５）のそれぞれの先端部分に所要の長さの面ファスナー（６）を貼付する。
（ホ）靴下本体にはゴム編等の伸縮性布素材を、また、装着用足甲紐（４）及び装着用足首紐（５）にはゴム等の伸縮性素材が望ましい。
本発明は、以上の構成からなる。
本発明の使用方法は、親指から小指にいたる５本の指を足指部（１）の相応箇所にそれぞれ挿入のうえ、踵を踵部（７）に納めながら足裏及び足甲等の相応部分を靴下本体に収納する。その後、足甲の上で２本の装着用足甲紐（４）を双方の面ファスナー部分で接合させて固定し、続いて、２本の装着用足首紐（５）を足首前部に廻し双方の面ファスナー部分で接合させて固定し、本発明の装着状態の安定を図る。【０００７】  本発明の第２の実施の形態について説明する。
前記実施の形態と主に異なる点は、装着用足甲紐（４）及び装着用足首紐（５）がそれぞれ１本の紐からなっている点である。このような構成でも前記実施の形態と同様の作用効果が得られる。
【図面の簡単な説明】
【０００８】
【図１】  本発明の第１の実施の形態の斜視図
【図２】  本発明の第１の実施の形態の斜視図
【図３】  本発明の第１の実施の形態の装着状態図
【図４】  本発明の第２の実施の形態の装着状態図
【符号の説明】
【０００９】  （１）足指部  （２）足甲側部  （３）踵側部  （４）装着用足甲紐
（５）装着用足首紐  （６）面ファスナー  （７）踵部  （８）開口部
（９）足
【図１】
2008081908.tif 000003
【図２】
2008081908.tif 000004
【図３】
2008081908.tif 000005
【図４】
2008081908.tif 000006
(57)【要約】【課題】照明器具取付装置本体の下面に透過するカバ−外郭部を設け、前記透過するカバ−外郭部の内部にＬＥＤを設け、前記ＬＥＤはＲＧＢ三原色を有するこことで単色からＲＧＢ三原色からなる混合色の演出が可能なＬＥＤ搭載の照明器具取付装置を提供する。【解決の手段】天井に固着されているシ−リングロ−ゼットに装着可能な照明器具取付装置１に照明器具本体１１と着脱自在に係合する一対の係止爪４を出没自在に、且つ、突出方向に付勢して設けると共に、前記照明器具取付装置１の下面部に光りを透過するカバ−外郭部２を設け、前記カバ−外郭部２の内部にＲＧＢ三原色を有したＬＥＤ８を各色１個または複数個に設けることでリモコン送信器１５による色の選択モ−ド切り替えにより単色からＲＧＢ三原色からなる混合色の演出が可能となる。また、前記の機能に加えて色の選択モ−ド切り替えを自動的に切り替わる回路を設けることで光りによる演出の幅を広げることが可能なＬＥＤ搭載の照明器具取付装置。【選択図】図２
2008034331.tif 000002
【特許請求の範囲】
【請求項１】
天井に固着されているシ−リングロ−ゼットに装着可能な照明器具取付装置に、照明器具本体と着脱自在に係合する一対の係止爪を出没自在に、且つ、突出方向に付勢して設けると共に、前記照明器具取付装置の下面に透過するカバ−外郭部を設け、前記カバ−外郭部の内部にＲＧＢ三原色を有したＬＥＤを各色１個または各色複数個に設けたことを特徴とするＬＥＤ搭載の照明器具取付装置。
【請求項２】
前記ＬＥＤ搭載の照明器具取付装置において、色の選択モ−ド切り替えにより単色及び混合色に切り替えられることを特徴とする請求項１に記載するＬＥＤ搭載の照明器具取付装置。
【請求項３】
前記ＬＥＤ搭載の照明器具取付装置において、色の選択モ−ド切り替えを自動的に順次切り替わる回路を設けたことを特徴とする請求項１及び２に記載するＬＥＤ搭載の照明器具取付装置。
【発明の詳細な説明】
【技術分野】
【０００１】本発明は、天井直付け照明器具を取り付ける為の照明器具取付装置において、ＲＧＢ三原色を有したＬＥＤを搭載する照明器具取付装置に関するものである。
【背景技術】
【０００２】従来の天井直付け照明器具において、単色のＬＥＤを設けた照明器具が知られている。
【発明の開示】
【発明が解決しようとする課題】
【０００３】本発明の第１の目的は、ＬＥＤを照明器具取付装置に設けることで光源の照射位置が中央部となり、さらに、前記ＬＥＤにＲＧＢ三原色を有することで、単色及びＲＧＢ三原色からなる混合色の演出が可能なＬＥＤ搭載の照明器具取付装置を提供する。
【課題を解決するための手段】
【０００４】天井に固着されているシ−リンロ−ゼットに装着可能な照明器具取付装置に照明器具と着脱自在に係合する一対の係止爪を出没自在に、且つ、突出方向に付勢して設けると共に、前記照明器具取付装置の下面部に光りを透過するカバ−外郭部を設け、前記カバ−外郭部の内部にＲＧＢ三原色を有したＬＥＤを各色１個または各複数個に設けることで、リモコン送信器による色の選択モ−ド切り替えにより単色からＲＧＢ三原色からなる混合色の演出が可能なことを特徴とする。【０００５】照明器具本体への給電及びモ−ド切り替えの信号は、照明器具取付装置から集結した接続コ−ドの末端に接続用のコネクタ−同士を接離自在に接続可能にした接続コネクタ−を設けている。
【発明の効果】
【０００６】請求項１及び２に係わる発明によれば、照明器具取付装置にＲＧＢ三原色を有するＬＥＤを設けることで、照明器具側からのモ−ド切り替え信号により単色からＲＧＢ三原色からなる混合色の演出が可能であり、使用用途に応じた光りによる演出効果が可能となる。【０００７】請求項３に係わる発明によれば、前記の効果に加えＲＧＢ三原色からなる色の変化を自動的に順次切り替わる回路を設けることで多彩な光りの演出が可能となる。
【発明を実施するための最良の形態】
【０００８】以下、本発明の実施の形態を図面を参照して説明する。
図１は、照明器具取付装置１を上方向から見た斜視図である。照明器具取付装置１は、天井１３に設置されている図示しないシ−リングロ−ゼットに引っ掛ける一対の栓刃３ならびに照明器具本体１１と着脱自在に係合する一対の係止爪４を出没自在に、且つ、突出方向に付勢して設けると共に、前記照明器具取付装置１の下面に光りを透過するカバ−外郭部２が設けてある。【０００９】図２は、照明器具取付装置１を下方向から見た斜視図である。照明器具取付装置１に設けられている光りを透過するカバ−外郭部２の内部にＲＧＢ三原色からなるＬＥＤ（赤）８ａ、ＬＥＤ（緑）８ｂ、ＬＥＤ（青）８ｃ、を各１個または各複数個に設けてある。また、照明器具本体１への給電及びＬＥＤ８へのモ−ド切り替え信号は集束された接続コ−ド９ａ及び前記接続コ−ド９ａの末端に照明器具本体１１から配線された接続コ−ド９ｂの末端の接続コネクタ−１０ｂとを接離自在に接続可能な接続コネクタ−１０ａが設けられている。【００１０】図３は、本発明の実施形態に係わる分解斜視図である。天井１３に固着されている図示しないシ−リングロ−ゼットに照明器具取付装置１を取り付け、照明器具本体１１を前記照明器具取付装置１に設けてある係止爪４に係止させる。照明器具取付装置１から引き出されている接続コ−ド９ａの末端に具備する接続コネクタ−１０ａと照明器具本体１１から配線されている接続コ−ド９ｂの末端に具備する接続コネクタ−１０ｂとを接離自在に接続可能に構成されている。また、蛍光管１２及びＬＥＤ８の点灯切り替えモ−ドはリモコン送信器１５に具備する操作ボタン１５ａを順次に押すことで切り替えられる。さらに、操作ボタン１５ａにより切り替えられたＬＥＤ点灯モ−ドにおいて、操作ボタン１５ｂを順次に押すことでＬＥＤ三原色からなる単色から混合色に切り替えられると共に、前記色の選択モ−ド切り替えを自動的に順次切り替わるモ−ド機能を設けてある。【００１１】以上により、ＬＥＤ８を照明器具取付装置１に設けることで、前記ＬＥＤ８の光源照射位置が中央部となり、照明器具本体１１に取り付けられるセ−ド１４の全体を均一、且つ、効率良く照射することができる。また、ＬＥＤ集合部はＲＧＢ三原色を有することで各色の単色及び混合色による光りの演出が可能となり、生活空間における使用用途に応じた光りの演出効果が可能なＬＥＤ搭載の照明器具取付装置である。
【図面の簡単な説明】
【００１２】
【図１】  本発明における照明器具取付装置を上方向から見た斜視図。
【図２】  本発明における照明器具取付装置を下方向から見た斜視図。
【図３】  本発明の実施形態に係わる分解斜視図。
【符号の説明】
【００１３】  １    照明器具取付装置
２    カバ−外郭部
３    栓刃
４    係止爪
５    ロック釦
６    ロック爪
７    解除レバ−
８    ＬＥＤ
８ａ  ＬＥＤ（赤）
８ｂ  ＬＥＤ（緑）
８Ｃ  ＬＥＤ（青）
９ａ  接続コ−ド
９ｂ  接続コ−ド
１０ａ  接続コネクタ−
１０ｂ  接続コネクタ−
１１    照明器具本体
１２    蛍光管
１３    天井
１４    セ−ド
１５    リモコン送信器
１５ａ  操作ボタン
１５ｂ  操作ボタン
【図１】
2008034331.tif 000003
【図２】
2008034331.tif 000004
【図３】
2008034331.tif 000005